(57)【要約】【課題】  簡単な構成で使い勝手のよいコントローラし、このようなコントローラを用いて被検者に多くの情報を提供できる検眼装置を提供すること。【解決手段】  被検眼の屈折力を自覚的に検査する検眼装置において、被検眼を検査するための光学素子を切り換え配置する検眼ユニットと、検眼ユニットの光学素子の切り換えを指示するための操作スイッチを有するコントローラと、コントローラに設けられるタッチパネル機能を持つ表示手段であって，水平方向に回転軸を有し検者側と被検者側とに回転可能な表示手段と、表示手段の画面の向きの変更を検知する画面方向検知手段と、被検者側に向けられた表示手段の画面の表示状態が検者側にある状態と同じ向きの表示状態となるように，画面方向検知手段の検知結果に基づいて前記表示画面の表示状態を上下左右反転させる表示制御手段と、を備えること。【選択図】      図３
2007068583.tif 000002
【特許請求の範囲】
【請求項１】
被検眼の屈折力を自覚的に検査する検眼装置において、被検眼を検査するための光学素子を切り換え配置する検眼ユニットと、該検眼ユニットの前記光学素子の切り換えを指示するための操作スイッチを有するコントローラと、該コントローラに設けられるタッチパネル機能を持つ表示手段であって，水平方向に回転軸を有し検者側と被検者側とに回転可能な表示手段と、該表示手段の画面の向きの変更を検知する画面方向検知手段と、被検者側に向けられた前記表示手段の画面の表示状態が検者側にある状態と同じ向きの表示状態となるように，画面方向検知手段の検知結果に基づいて前記表示画面の表示状態を上下左右反転させる表示制御手段と、を備えることを特徴とする検眼装置。
【請求項２】
請求項１の検眼装置において、前記コントローラは前記表示手段に被検者に所定の情報を提示するための情報提示画面に切り換えるための切り換えスイッチを有し、該切り換えスイッチにより情報提示画面に切り換わった状態において，前記表示制御手段は前記操作スイッチの使用による入力指示を受け付けず、前記タッチパネルに基づく表示制御を行うことを特徴とする検眼装置。
【請求項３】
請求項２の検眼装置において、前記コントローラは視標を呈示する視標呈示手段の呈示視標を選択するための視標選択手段を有し、該視標選択手段は前記タッチパネルの選択ボタンとして前記表示手段に設けられていることを特徴とする検眼装置。
【請求項４】
請求項２の検眼装置において、前記表示制御手段は前記情報提示画面に提示する前記情報を種々選択するための選択ボタンをタッチパネル用ボタンとして前記情報提示画面に形成することを特徴とする検眼装置。
【発明の詳細な説明】
【技術分野】
【０００１】
本発明は、被検眼の屈折力等を自覚的に検査する検眼装置に関する。
【背景技術】
【０００２】
従来、レンズディスクに配置された種々のレンズ等の光学素子を検眼窓に切換え配置し、被検眼に視標呈示装置にて様々な視標を呈示して、被検眼の屈折力を自覚的に検査する自覚式検眼装置がある。このような装置では、検者はモニタ付きのコントローラで、光学素子や視標の切り換えをし、被検者の検眼を行う。このモニタは検者が装置の設定等を見るためのものであるが、このモニタを被検者方向に回転させ、近用視標を呈示させて検眼するものが知られている（例えば、特許文献１）。
【特許文献１】特開平９−２９９３３２号公報
【発明の開示】
【発明が解決しようとする課題】
【０００３】
しかしながら、前述した装置は装置全体、或いは別置きしたモニタを被検者に向けて回転させるものであり、使い勝手がよいものではなかった。また、前述した装置では、モニタを被検者側に向けた状態にて、コントローラの操作が行い難い。
【０００４】
上記従来技術の問題点に鑑み、簡単な構成で使い勝手のよいコントローラを有する検眼装置を提供し、また、このようなコントローラを用いて被検者に多くの情報を提供できる検眼装置を提供することを技術課題とする。
【課題を解決するための手段】
【０００５】
上記課題を解決するために、本発明は以下のような構成を備えることを特徴とする。
（１）  被検眼の屈折力を自覚的に検査する検眼装置において、被検眼を検査するための光学素子を切り換え配置する検眼ユニットと、該検眼ユニットの前記光学素子の切り換えを指示するための操作スイッチを有するコントローラと、該コントローラに設けられるタッチパネル機能を持つ表示手段であって，水平方向に回転軸を有し検者側と被検者側とに回転可能な表示手段と、該表示手段の画面の向きの変更を検知する画面方向検知手段と、被検者側に向けられた前記表示手段の画面の表示状態が検者側にある状態と同じ向きの表示状態となるように，画面方向検知手段の検知結果に基づいて前記表示画面の表示状態を上下左右反転させる表示制御手段と、を備えることを特徴とする。
（２）  （１）の検眼装置において、前記コントローラは前記表示手段に被検者に所定の情報を提示するための情報提示画面に切り換えるための切り換えスイッチを有し、該切り換えスイッチにより情報提示画面に切り換わった状態において，前記表示制御手段は前記操作スイッチの使用による入力指示を受け付けず、前記タッチパネルに基づく表示制御を行うことを特徴とする。
（３）  （２）の検眼装置において、前記コントローラは視標を呈示する視標呈示手段の呈示視標を選択するための視標選択手段を有し、該視標選択手段は前記タッチパネルの選択ボタンとして前記表示手段に設けられていることを特徴とする。
（４）  （２）の検眼装置において、前記表示制御手段は前記情報提示画面に提示する前記情報を種々選択するための選択ボタンをタッチパネル用ボタンとして前記情報提示画面に形成することを特徴とする。
【発明の効果】
【０００６】
本発明によれば、検眼装置の駆動制御に用いるコントローラを、簡単な構成でより使い勝手良くすることができ、さらには被検者に対して多くの情報を提供することができる。
【発明を実施するための最良の形態】
【０００７】
本発明の実施形態を図面を用いて以下に説明する。図１は本実施の形態の検眼システム全体を示した概略図、図２は本実施の形態の検眼装置を被検者側から見た外観概略図である。
【０００８】
１は検眼装置本体であり、検眼装置本体１は左右対称な一対のレンズ室ユニット（検眼ユニット）６０と、この左右のレンズ室ユニット６０を吊下げ支持する移動ユニット６と、を備える。移動ユニット６は、被検者の瞳孔間距離に合わせて検査窓６１の間隔を変えるために左右のレンズ室ユニット６０の間隔を調整するスライド機構、及び左右のレンズ室ユニット６０の輻輳角（打寄せ角）を調整する輻輳機構を有する移動手段５０を内部に持つ。
【０００９】
また、検眼装置本体１はテーブル１０に設けられている支持アーム４によってテーブル１０の上方に支持されている。１１はテーブルを上下動させるための上下動スイッチであり、このスイッチ１１を用いることによって、図示無き駆動手段によりテーブル１０の天板の高さ位置を調節するとともに、検眼装置本体１の高さを調節することができる。
【００１０】
２０は検眼装置本体１から所定距離（例えば１ｍ程度）だけ離れた位置に置かれ、遠用検査時に用いられる視標呈示装置である（図１では内部の概略構成を示している）。視標呈示装置２０は装置内部に種々の検査視標を提示する視標呈示手段２１、ビームスプリッタ２２、凹面ミラー２３等を備える。視標呈示手段２１によって出射される検査視標の光束は、ビームスプリッタ２２を透過した後、凹面ミラー２３で反射される。凹面ミラー２３で反射した視標光束は、ビームスプリッタ２２で反射され、窓２４を介して被検眼Ｅに向かう。
【００１１】
２は移動ユニット６に取り付けられているロッドである。ロッド２には、検査視標が複数描かれている近用チャートを持つ近用視標呈示ユニット３が、その長手方向に移動可能に取り付けられている。図１では、ロッド２は折りたたまれ、近用視標呈示ユニット３も上側に跳ね上げられた状態を示されている。近用検査時には、ロッド２は水平にされ、近用視標呈示ユニット３が、装置本体１から所定の位置に置かれる。この位置は、被検眼Ｅから所望の距離に調整できる。
【００１２】
９は検眼装置本体１や視標呈示装置２０を操作するためのコントローラである。コントローラ９には検眼を自動的又は手動にて行うためのスイッチ等を備える。コントローラ９はテーブル１０に固定されるものではなく、検者が任意に置くことができる。３０はコントローラ９の設定等を表示する手段となるモニタであり、タッチパネル機能を有する。３５は設定等を選択するスイッチ部である。モニタ３０上のタッチパネルと、スイッチ部３５のスイッチを使って、さまざまな検眼や装置の制御を行う。モニタ３０は水平方向に回転軸を持つ回動機構を備え、縦方向に９０度以上回転し、検者側から被検者側へと画面の向きを変えることができる。この回転機構の詳細については後述する。
【００１３】
１２はリレーユニットであり、装置本体１の電源や装置本体１と視標呈示装置２０の通信を制御するユニットである。リレーユニット１２は、コントローラ９や装置本体１、視標呈示装置２０と接続されている。リレーユニット１２は、ＣＰＵ等からなる制御部を備え、コントローラ９の制御指令を受け、装置本体１や視標呈示装置２０を制御する。
【００１４】
図２は被検者側から見たときの検眼装置本体１の概略図である。６１は被検眼が置かれる検査窓である。左右のレンズ室ユニット６０の筐体内部には、種々の多数の光学素子６５（レンズ等）を同一円周上に配置（保持）した複数のレンズディスク６４が回転可能に設けられている。レンズディスク６４が回転制御されることにより、検者が所望する光学素子６５が検査窓６１に配置される。
【００１５】
７０は被検者の額と当接する額当てであり、７１は額当て７０と移動ユニット６とを連結させるための連結部である。額当て７０は、被検者の頭部を保持し、被検眼の位置を所定の検査位置に固定する役割を持つ。
【００１６】
図３は、本実施形態の検眼装置及び視標呈示装置のコントローラ９の外観斜視図である。３０は検眼情報等を表示する表示手段であるモニタであり、カラーの液晶ディスプレイで構成される。モニタ３０には、タッチパネル機能が備えられており、表示画面の検眼情報に付加される視標や補助レンズの切り換え等がタッチパネルにて行える構成となっている。モニタ３０の表示画面については後述する。３１はコントローラ９のベースであり、３２はベース３１の上にあって、上方へ壁状にのび、モニタ３０を回転可能に支持するための支持部である。３３はモニタ３０の背面に設けられた円筒部であり、３４は支持部３２の上端に設けられ、円筒部３３の両端を覆うカバーである。３５はベース３１に取り付けられたスイッチパネルであり、モニタ３０に表示される表示画面の切り換えや設定等を行う。また、光学素子６５の度数変更やレンズの配置等も行う。
【００１７】
モニタ３０は、円筒部３３とカバー３４の箇所で嵌合されることで、支持部３２に回転可能に支持される。円筒部３３とカバー３４の内部には、回転式の蝶番が設けらており、縦方向に回転する構造となっている。なお、図中のＡは、円筒部３３とカバー３４の嵌合部を示す。図３（ａ）は、モニタ３０が検者側を向いた状態を示す斜視図であり、図３（ｂ）は、モニタ３０が被検者側を向いた状態を示す斜視図である。図３（ａ）の矢印で示される方向にモニタ３０が回転することにより、図３（ｂ）の状態となる。
【００１８】
図４は、モニタ３０が検者側を向いている状態の嵌合部Ａの斜視図である。３０ａはモニタ基板に取り付けられた固定板を示し、３１ａはベース基板を示し、４０はフォトセンサであり、４１は遮光板である。フォトセンサ４０は、コの字型になっており、その間に遮光板４１が挿脱されることにより、出力する信号が変化するフォトインタラプタの構成を取っている。フォトセンサ４０は、ペース基板３１ａにビス４７で固定されるプレート４６に取り付けられている。遮光板４１は、固定板３０ａにビス４９で固定されるプレート４８に散り付けられている。
【００１９】
４２は回転式の蝶番であり、Ｌ字型のプレート４４ａとプレート４４ｂがジョイント４３で接合されることで、回転可能となる部材である。プレート４４ａは固定部３０ａにビス４５ａで固定される。同様に、プレート４４ｂはベース基板３１ａにビス４５ｂにて固定される。
【００２０】
このような構成により、モニタ基板３０ａとベース基板３１ａは、蝶番４２を軸として回転可能（図中の矢印方向）となる。従って、モニタ３０は、ベース３１に対して縦方向に回転する構成となる。
【００２１】
次に、モニタ３０の向きを検知する機構を説明する。図５は嵌合部Ａでの概略断面図である。図５（ａ）は、モニタ３０が検者側を向いている状態であり、図５（ｂ）は、モニタ３０が被検者側を向いている状態を示す。図５（ａ）では、フォトセンサ４０に遮光板４１が挿入された状態となっている。モニタ３０が、ジョイント４３を軸として、回転すると、図５（ｂ）の状態になる。このとき、遮光板４１は、フォトセンサ４０から外れることとなる。従って、フォトセンサ４０の信号を検知することによって、モニタ３０の向き（画面方向）を検知することができる。
【００２２】
このように、モニタが縦方向に回転することによって、検者側から被検者側に向く構成をとることにより、回転時のスペースが小さくできる。
【００２３】
次に、スイッチパネル３５の構成を説明する。図６はコントローラ９を上から見た図である。スイッチパネル３５には、左右に回すことで数値の増減を行うダイアル３６、球面度数Ｓ、乱視度数Ｃ、乱視軸角度Ａ、瞳孔間距離ＰＤ等のデータを変更するモードに切り換えるためのモードスイッチ３８、プログラム検眼用のスタートスイッチ３９等の操作スイッチが備えられる。３８ａは検査窓６１の位置を被検者の瞳孔間距離に合わせるためのＰＤスイッチであり、これを押した後、ダイヤル３６を回転させると、移動手段５０の駆動により左右のレンズ室ユニット６０の間隔を所定のステップで調整することができる。３８ｂは左右の検査窓６１を被検者の輻輳角に合わせるためのＡＤＤスイッチであり、これを押すと、移動手段５０の駆動により左右のレンズ室ユニット６０の輻輳角が調整される。３７は表示モードを設定変更するためのメニュースイッチである。このようなレンズ室ユニット６０の輻輳角調整は、近用検査や、被検者の加入度を測定する加入検査時に用いられる。３８ｃは度数スイッチであり、球面度数Ｓ、乱視度数Ｃ、乱視軸角度Ａのいずれかを選択するモードに切り換えるためのスイッチである。
【００２４】
次に、モニタ３０の表示画面を説明する。図７は検眼時にモニタ３０に表示される表示画面を示す図である。８０は検眼情報表示画面であり、現在、レンズ室ユニット６０に配置されている光学素子の情報や、他の装置から取得した被検者の屈折力情報が表示されている。画面８０の一部は、タッチパネルになっており、表示されたアイコンに触れることで、設定を変更したり、画面を切り換えることができる。８１は、視標呈示装置２０に呈示する視標を選択する（切り換える）ための視標チャート選択ボタンである。現在呈示されている視標チャートの情報は、チャートビュア８１ａに表示される。８２は、補助レンズの表示と切換をする補助レンズ選択ボタンである。８３は、測定モードが、遠用か近用であるかの表示と測定モードの切り換えを行うことができる遠用／近用ボタンである。これらのボタンは、タッチパネルにて操作できる構成となっている。８４は度数表示部で、光学素子の情報等が表示されている。ここに表示されている数値を変更して、光学素子の配置等を切り換える場合は、コントローラ９のモードスイッチ３８で項目を選択し、ダイアル３６等で数値を増減して行う。
【００２５】
図８は、被検者に所定の情報を提示するための情報提示画面を示す図である。１００は被検者に見せる画像情報である。１０１は画面に表示する情報画像を選択するための情報選択ボタンで、タッチパネルで構成されている。なお、図８では画像情報１００として、赤緑視標やランドルト環等の視標が提示されている。本実施形態の情報選択ボタン１０１で、選択表示できるものは、新聞や楽譜等の被検者が日常生活で見るものや、目の構造図、屈折図、遠視、近視の見え方等の画像情報である。これらの画像情報は、簡単な見え具合のチェックや、被検者に眼の異常説明をする際の手助けとなるような情報であるまた、情報選択スイッチ１０１の「その他」のスイッチは、検者が用意したレンズの価格表（図９参照）や商品紹介等の販売促進用の資料を表示できる画面（図示せず）へと切り換えるようになっている。なお、このような種々の画像情報は検者が外部メモリやＰＣ（共に図示せず）をコントローラ９に接続し、外部データを読み込んで、任意に設定することができる。
【００２６】
このような構成をとることによって、モニタの表示画面が、情報を表示するだけでなく、情報を選択する機能を持つ。また、一部のスイッチ機能をタッチパネル化し、表示画面の切り換え表示をさせることによって、画面を広く使うことができる。さらにまた、スイッチパネル３５のスイッチ数が少なくなるため、コンパクトなコントローラとできる。
【００２７】
なお、視標呈示装置２０の切り換え操作をタッチパネル化することにより、視標呈示装置２０を別の視標チャートを持つ装置と交換しても、モニタ３０の表示を制御するソフトウェアを変更するだけで、簡単に対応できることとなる。
【００２８】
以上のような構成を備える装置において、その動作を図１０に示す制御系のブロック図をもとに説明する。まず、図示なき他覚式眼屈折力測定装置により他覚測定データ（球面度数Ｓ、乱視度数Ｃ、乱視軸角度Ａ）及び瞳孔間距離ＰＤが得られているときは、コントローラ９のスイッチ部３５を操作して、その測定データを入力する。他覚式眼屈折力測定装置からのデータは、リレーユニット１２の制御部１２０を介して検眼装置本体１の制御部１３０及びコントローラ９の制御部１４０に送られる。瞳孔間距離データが入力されると、制御部１３０は、入力された瞳孔間距離データに基づいてモータを駆動制御し、左右のレンズ室ユニット６０をスライド移動させる。瞳孔間距離データの入力は、レンズ室ユニット６０をスライド移動させる指令信号とされる。
【００２９】
他覚測定データの瞳孔間距離データを基に左右のレンズ室ユニット６０の間隔が調整された後も、被検者の瞳孔間距離と左右の検査窓６１の間隔が異なっている場合には、さらに左右のレンズ室ユニット６０を被検眼の瞳孔間距離に合わせて移動させる必要がある。この場合、検者はコントローラ９のモードスイッチ３８のＰＤスイッチ３８ａを押した後、ダイヤル３６を回転させ、左右のレンズ室ユニット６０の間隔を変化させる。
【００３０】
このような設定をして、検眼作業に入る。検者は、被検者の顔を額当て７０に当接させ、被検眼を所定の検査位置に固定させる。予め得た他覚測定データに基づき、光学素子６５が検眼窓６１に配置される。視標呈示装置２０の制御部１５０は、リレーユニット１２に入力された他覚測定データに基づき、被検者に適した視標を呈示する指令を視標呈示手段に送り、視標を呈示させる。検者は、被検者の申告により、光学素子６５の切り換えや呈示する視標を切り換え、検眼作業を進める。
【００３１】
検者が呈示する視標を切り換えたいときは、視標チャート選択ボタン８１から、画面上に形成された所望する視標のチャートボタンをタッチする。視標チャート選択ボタン８１がタッチされると、制御部１４０が、どのスイッチ（座標）がタッチされたのか検知し、指令信号をリレーユニットの制御部１２０を介して視標呈示装置２０の制御部１５０へ送る。制御部１５０は、指令信号を視標呈示手段２１へと送り、検者が所望する視標を被検者に呈示する。このとき、制御部１４０は受け取った信号に基づいて、タッチされた視標をチャートビュア８１ａに表示する。以下に説明するタッチパネルの動作も同様の制御フローである。
【００３２】
検者が光学素子６５の度数を変えたい場合は、度数スイッチ３８ｃのどれかを押し、ダイアル３６を回して、所望する数値を選択する。数値の決定は他の度数スイッチ３８ｃを押して行う。この操作を繰り返して、光学素子６５を検査窓６１に配置する。
【００３３】
次に、被検者用情報の画像情報呈示動作について説明する。検者がメニュースイッチ３７を押すと、図示なきメニューモードがモニタ３０に表示される。メニューモードの画面に表示されている図示無き情報表示ボタンをタッチすると、所定の画像情報１００が表示される。この状態でモニタ３０を回転し、被検者側へと向ける。このとき、モニタ３０の表示画面は、回転に伴い表示状態が検者側と同じ向きの表示状態となるように（回転に伴い画像情報が逆さまにならないように）上下左右が反転した状態で提示される。これは、フォトセンサ４０からの検知信号によって制御部１４０がモニタの方向を検知し、その信号に基づいて制御部１４０が表示する画像情報の表示制御を行う。また同時に制御部１４０は、タッチパネルのボタンの位置座標も反転させ、モニタ３０の回転前と回転後のタッチパネルのボタンの見た目上の場所を一致させる。
【００３４】
また、メニュースイッチ３７が使用され、モニタ３０に画像情報が提示される状態において、制御部１４０は、スイッチパネル３５に設けられたモードスイッチ３８やスタートスイッチ３９等の操作スイッチからの指令信号を受け付けないようにする。これにより、被検者に対して種々の情報を提供している場面で、誤って操作スイッチが押されても、装置の誤作動を防止することができる。
【００３５】
モニタ３０が被検者側に回転すると、検者は被検者側にまわり、情報選択スイッチ１０１を用いて種々の画像情報１００を提示する。例えば、情報選択スイッチ１０１の「その他」をタッチすると、図９に示される価格表が表示される。この価格表を基に、検者は被検者に商品の紹介、説明を行う。また、情報選択ボタン１０１には「新聞」や「楽譜」等の項目があり、例えば仮枠を装用した被検者に対してその見え方をチェックさせるための画像情報を提示できる。また、情報選択ボタン１０１には、眼球構造の描かれた「構造図」や、近視や遠視等の模式図である「屈折図」や、多焦点レンズや累進レンズを装着した場合の見え方を示す「見え方」ボタンもあり、眼の異常等を被検者に対して判りやすく説明することができる。
【００３６】
情報提示画面からの通常の測定画面（検査画面）への切り換えは、再度メニュースイッチ３７を使用することにより、行われる。
【００３７】
以上説明した本実施形態では、検者側に向いたモニタを被検者側に回転して、被検者に検眼情報や商品情報等を見せる構成としたが、これに限るものではない。図示を略すが、モニタの裏側に新たな小モニタを設ける構成としてもよい。検者側に向いているモニタを被検者側に回転させたときに、この小モニタに、被検者に見せている表示画面と同じ画面が表示されるようにする。ここで用いる小モニタは、検者が、被検者が見ている表示画面がどのようなものであるかわかる程度の大きさでよい。このような構成をとることによって、モニタを被検者側に向けているときでも、検者はもう一つのモニタを見て、表示画面の操作ができる。表示画面の操作は、光学素子等を駆動させるための操作スイッチとは別に新たなスイッチを設けてもよいし、情報提供画面への切り換えに対応して、光学素子等を駆動させるための操作スイッチを情報提供画面の選択スイッチとして機能切り換えを行うこともできる。このように小モニタを設けることにより、モニタが被検者側を向いている際に、検者は被検者側までまわることなく、表示画面等の操作ができることとなる。
【００３８】
なお、以上説明した実施形態では、測定画面と情報提供画面との切り換えに応じて、操作スイッチの使用を制限するものとしているが、これに限るものではない。モニタが被検者側に向くことによってスイッチパネルの操作に制限がかかる構成としてもよい。
【００３９】
また、本実施形態では、モニタを検者側の向きから被検者の向きに回転させる場合に、表示画面の内容は変わらない構成としたが、これに限るものではない。モニタの回転に基づいて、表示画面を変更する構成としてもよい。例えば、モニタを検者向きから被検者向きに回転させると、表示画面が検者用の近用視標や商品情報等に切り換わる構成が挙げられる。この場合、モニタを検者向きに戻すと、検眼情報を表示した画面へと切り換わる。
【図面の簡単な説明】
【００４０】
【図１】本実施の形態の検眼システム全体を示した概略図である。
【図２】本実施の形態の検眼装置を被検者側から見た外観概略図である。
【図３】検眼装置及び視標呈示装置のコントローラ９の外観斜視図である。
【図４】モニタ３０が検者側を向いている状態の嵌合部Ａの斜視図である。
【図５】図５は嵌合部Ａでの概略断面図である。
【図６】コントローラ９を上から見た図である。
【図７】検眼時にモニタ３０に表示される表示画面を示す図である。
【図８】被検者に所定の情報を提示するための情報提示画面を示す図である。
【図９】レンズの価格表を示す図である。
【図１０】本実施形態の制御系のブロック図である。
【符号の説明】
【００４１】
１  検眼装置本体
９  コントローラ
２０  視標呈示装置
２１  視標呈示手段
３０  モニタ
３５  スイッチパネル
３７  メニューボタン
４０  フォトセンサ
４１  遮光板
４２  蝶番
８０  検眼情報表示画面
８１  視標チャート選択ボタン
【図１】
2007068583.tif 000003
【図２】
2007068583.tif 000004
【図３】
2007068583.tif 000005
【図４】
2007068583.tif 000006
【図５】
2007068583.tif 000007
【図６】
2007068583.tif 000008
【図７】
2007068583.tif 000009
【図８】
2007068583.tif 000010
【図９】
2007068583.tif 000011
【図１０】
2007068583.tif 000012